(57)【要約】【課題】  倍率を変えるときに、レンズ交換はもちろんのこと、キャップを着脱する手間さえも必要なく、低倍率でも高倍率でもピントの合った画像を撮像できるようにする。【解決手段】  観察ヘッド（２）を回動させることにより撮像光軸（Ｘ）上に進退する大口径の低倍率観察孔（３Ｌ）及び小口径の高倍率観察孔（３Ｈ）が形成され、観察ヘッド（２）に連動して、結像光学系（４）を構成するレンズ（８）の一部又は全部を撮像光軸（Ｘ）方向に沿って移動させ、低倍率観察孔（３Ｌ）及び高倍率観察孔（３Ｈ）に当接された被観察物表面を夫々の合焦位置とする低倍率撮像位置（ＱＬ）及び高倍率撮像位置（ＱＨ）に位置決めして倍率を変化させる倍率切換手段（１１）を備えた。【選択図】図１
2006235423.tif 000002
【特許請求の範囲】
【請求項１】
被観察物表面に当接させたドーム状観察ヘッドの観察孔から入射された前記被観察物の像を結像光学系により所定倍率に拡大して撮像する撮像素子を備えると共に，前記観察ヘッドの内側から被観察物に照明光を照射する照明系を備えた拡大撮像装置において、
観察ヘッドを回動させることにより撮像光軸上に進退する大口径の低倍率観察孔及び小口径の高倍率観察孔が前記観察孔として形成され、
観察ヘッドを回動させて低倍率観察孔及び高倍率観察孔を撮像光軸上に位置させたときに、これに連動して、結像光学系を構成するレンズの一部又は全部を撮像光軸方向に沿って移動させ、低倍率観察孔及び高倍率観察孔に当接された被観察物表面を夫々の合焦位置とする低倍率撮像位置及び高倍率撮像位置に位置決めして倍率を変化させる倍率切換手段を備えたことを特徴とする拡大撮像装置。
【請求項２】
前記照明系が、低倍率撮像時に被観察物を照らす低倍率撮像照明と、高倍率撮像時に前記低倍率撮像照明より高照度で被観察物を照らす高倍率撮像照明とを備え、前記観察ヘッドを回動して低倍率観察孔及び高倍率観察孔を撮像光軸上に位置させたときに、これに連動して、低倍率撮像照明及び高倍率撮像照明を点灯させる照明切換手段を備えた請求項１記載の拡大撮像装置。
【請求項３】
前記低倍率撮像照明及び高倍率撮像照明として、多数の高輝度ＬＥＤが撮像光軸の回りに環状に配列されてなる請求項２記載の拡大撮像装置。
【請求項４】
前記低倍率撮像照明から被観察物表面に至る照明光路に、低倍率撮像照明の照明光を直線偏光化する照明光偏光フィルタが設けられると共に、撮像光軸上には、前記照明光偏光フィルタの偏光方向と直交ニコルの関係を有する観察光偏光フィルタが進退可能に設けられ、観察ヘッドを回動させて低倍率観察孔を撮像光軸上に位置させたときに、これに連動して前記観察光偏光フィルタを撮像光軸上に進出させるフィルタ進退機構を備えた請求項２記載の拡大撮像装置。
【発明の詳細な説明】
【技術分野】
【０００１】
本発明は、被観察物表面を拡大して観察するための拡大撮像装置に関し、特に、化粧品を販売する美容部員が、顧客の肌や頭皮の状態に応じて最適の化粧品やシャンプーリンスなどを決定する場合などに、顧客の皮膚や頭皮等を拡大して観察するのに適している。
【背景技術】
【０００２】
化粧は、肌に直接化粧品を塗ることにより、肌を白く見せたり、荒れた肌を滑らかに見せたりするために行うものであるから、各化粧品メーカとも肌質に応じて多くの種類の化粧品を販売している。
したがって、消費者にとっては、多種類の中から自分の肌質に適合する化粧品を選ぶことができる一方で、自分の肌質を知らないために真に適した化粧品を選択できないことが多い。
【０００３】
このことは、化粧品を販売している美容部員も同様であり、顧客の肌質を正確に知ることができれば、その肌質に適した化粧品や肌の手入れ法をアドバイスすることができるが、現実には，自分の培ってきた経験と勘で顧客の肌質に適合するであろう化粧品をアドバイスしているのが実情である。
このため、最近では化粧品の販売促進用に様々な診断機器を導入し、顧客の肌質に最適の化粧品を提供できるよう各社ともしのぎを削っている。
【０００４】
肌観察用の拡大撮像装置もそのような診断機器の一つとして用いられているが、その観察対象によって拡大倍率を変えて観察したいとの要望がある。
例えば、縦横斜めに走る細かい綾によって形成される肌理（キメ）の細かさを観察する場合は、２０倍程度の比較的低撮像倍率で直径１〜２ｃｍの範囲を撮像するのが好ましく、一方で、その肌理（キメ）の一つ一つを観察する場合は、２００倍程度の高撮像倍率で直径１〜２ｍｍの極めて限定されたエリアを撮像することが好ましい。
【０００５】
しかし、撮像倍率を変えるために、レンズを交換したりスイッチ操作により照明光強度を変更したりするのが面倒であるため、本出願人は、倍率を変えるたびごとにレンズ交換作業を行う面倒がなく、また、倍率を変えるたびごとに照明光の強度を切り換えるスイッチ操作を行う面倒のない拡大撮像装置を提案した。
【特許文献１】特開２００２−２４４０４７公報
【０００６】
この拡大撮像装置によれば、２焦点レンズの位置を光軸方向に移動させることにより撮像倍率を切り換えることができ、そのレンズの位置に応じて低倍率撮像照明と高倍率撮像照明を自動的に切り換えるようにしているので、レンズ交換や照明光切換のためのスイッチ操作は一切不要になる。
【０００７】
しかし、低倍率撮像時も高倍率撮像時も一つの観察孔を通して撮像していることから、観察孔を低倍率の撮像エリアに合せて直径１５ｍｍと比較的大きくせざるを得ない。
したがって、これを皮膚に押し当てたときに、皮膚がその弾力で観察孔内に盛り上がり、被写界深度の深い低倍率で撮像するときはまだしも、被写界深度の浅い高倍率で撮像するときは、その皮膚の盛り上がり方次第でピントが合ったりずれたりすると言う問題を生じた。
【０００８】
このため高倍率撮像時には、直径が小さい観察孔を形成したキャップを被せて皮膚の盛り上がりを抑えなければならず、レンズ交換の手間はないもののキャップを着脱する手間を生じ、また、キャップの紛失に備えて予備のキャップを用意しなければならないと言う面倒もある。
【発明の開示】
【発明が解決しようとする課題】
【０００９】
そこで本発明は、倍率を変えるときに、レンズ交換はもちろんのこと、キャップを着脱する手間さえも必要なく、低倍率でも高倍率でもピントの合った画像を撮像できるようにすることを技術的課題としている。
【課題を解決するための手段】
【００１０】
この課題を達成するために、本発明は、被観察物表面に当接させたドーム状観察ヘッドの観察孔から入射された前記被観察物の像を結像光学系により所定倍率に拡大して撮像する撮像素子を備えると共に，前記観察ヘッドの内側から被観察物に照明光を照射する照明系を備えた拡大撮像装置において、観察ヘッドを回動させることにより撮像光軸上に進退する大口径の低倍率観察孔及び小口径の高倍率観察孔が前記観察孔として形成され、観察ヘッドを回動させて低倍率観察孔及び高倍率観察孔を撮像光軸上に位置させたときに、これに連動して、結像光学系を構成するレンズの一部又は全部を撮像光軸方向に沿って移動させ、低倍率観察孔及び高倍率観察孔に当接された被観察物表面を夫々の合焦位置とする低倍率撮像位置及び高倍率撮像位置に位置決めして倍率を変化させる倍率切換手段を備えたことを特徴とする。
【発明の効果】
【００１１】
本発明の拡大撮像装置によれば、観察ヘッドに大口径の低倍率観察孔及び小口径の高倍率観察孔が形成され、観察ヘッドを回動させることにより各観察孔を撮像光軸上に進退させることができる。
また、観察ヘッドを回動させて各観察孔を撮像光軸上に位置させると、これに連動して、結像光学系を構成するレンズの一部又は全部が撮像光軸方向に沿って移動し、低倍率観察孔及び高倍率観察孔に当接された被観察物表面を夫々の合焦位置とする低倍率撮像位置及び高倍率撮像位置に位置決めされて、撮像倍率が変わる。
したがって、撮像ヘッドを回動させるだけで、拡大倍率を変えることができると同時に、その拡大倍率に応じた観察孔を光軸上に位置させることができるので、倍率変更を行うために必要な操作は撮像ヘッドの回転のみで足りる。
【００１２】
なお、照明光の強度変更が必要な場合は、請求項２に記載されたように、照明系として、低倍率撮像時の撮像エリアを照らす低倍率撮像照明と、高倍率撮像時の撮像エリアを前記低倍率撮像照明より高照度で照らす高倍率撮像照明を設けておき、観察ヘッドを回動して低倍率観察孔及び高倍率観察孔を撮像光軸上に位置させたときに、これに連動して、低倍率撮像照明及び高倍率撮像照明を切換えて点灯させるようにすればよい。
【発明を実施するための最良の形態】
【００１３】
本例では、レンズ交換はもちろんのこと、キャップを着脱することもなく、低倍率でも高倍率でもピントの合った画像を撮像できるようにする。
【００１４】
図１は本発明に係る拡大撮像装置を示す概略構成図、図２は拡大倍率に応じた結像光学系の位置関係を示す説明図、図３は照明系を示す説明図である。
【００１５】
図１に示す拡大撮像装置１は、被観察物表面に当接させたドーム状観察ヘッド２の観察孔３から入射された被観察物の像を結像光学系４により所定倍率に拡大して撮像する撮像素子５を備えると共に、観察ヘッド２の内側から前記観察孔３を介して被観察物に照明光を照射する照明系６を備えている。
【００１６】
観察ヘッド２は、撮像光軸Ｘに対して傾斜した回転軸θの回りに回動可能なレボルバータイプに形成され、装置本体（図示せず）に形成されたベース７に取り付けられている。
そして、観察孔３として、比較的大口径（１５ｍｍ程度）の低倍率観察孔３Ｌ及び比較的小口径（６ｍｍ程度）の高倍率観察孔３Ｈが形成されており、該観察ヘッド２を回動させることにより夫々の観察孔３Ｌ、３Ｈを撮像光軸Ｘ上に進退させることができるようになっている。
【００１７】
結像光学系４は、図２に示すように、低倍率（例えば２０倍）と高倍率（例えば２００倍）の２つの拡大倍率で使用可能な２焦点レンズ８を装着したレンズホルダ９が、撮像光軸Ｘと並行に配された鏡筒１０内に摺動可能に配されている。
そして、観察ヘッド２を回動させて低倍率観察孔３Ｌ及び高倍率観察孔３Ｈを撮像光軸Ｘ上に位置させたときに、これに連動する倍率切換手段１１によりレンズホルダ９が光軸方向に移動して、低倍率観察孔３Ｌ及び高倍率観察孔３Ｈに当接された被観察物の表面を夫々の合焦位置ＦＬ及びＦＨとする低倍率撮像位置ＱＬと高倍率撮像位置ＱＨにレンズ８が位置決めされるようになっている。
【００１８】
倍率切換手段１１は、レンズホルダ９の周面から突出形成された従動ピン１２が、ベース７に固定された鏡筒１０の直線スリット１３と、鏡筒１０に回転可能に外装された円筒カム１４の螺旋スリット１５の交点に係合されると共に、観察ヘッド２の回転を円筒カム１４に伝える運動伝達機構１６を備えている。
【００１９】
この運動伝達機構１６は、観察ヘッド２に形成された内歯車１７と、円筒カム１４の外周面に固定された外歯車１８と、内歯車１７及び外歯車１８に咬合するピニオン１９ａ及び１９ｂを両端に形成した中間ギア１９からなる。
そして、観察ヘッド２を矢印Ａ１で示す右方向に回動させると、ピニオン１９ａ及び１９ｂが夫々矢印Ａ２及びＡ３で示す右方向に回転し、外歯車１８が矢印Ａ４で示す左方向に回動されて、円筒カム２が矢印Ａ５で示す左方向に回動されるので、直線スリット１３と螺旋スリット１５の交点が前方に移動し、これによってレンズホルダ９が矢印Ａ６で示す撮像光軸前方に向って直線移動し，レンズ８を低倍率撮像位置ＱＬと高倍率撮像位置ＱＨに位置決めされる。
【００２０】
照明系６は、低倍率撮像時に低倍率観察孔３Ｌで囲まれた撮像エリアを照らす低倍率撮像照明２０Ｌと、高倍率撮像時に高倍率観察孔３Ｈで囲まれた撮像エリアを前記低倍率撮像照明２０Ｌより高照度で照らす高倍率撮像照明２０Ｈを備えると共に、観察ヘッドを回動して低倍率観察孔３Ｌ及び高倍率観察孔３Ｈを撮像光軸Ｘ上に位置させたときに、これに連動して、低倍率撮像照明２０Ｌ及び高倍率撮像照明２０Ｈを切り換えて点灯させる照明切換手段２１を備えている。
【００２１】
本例では、多数の高輝度白色ＬＥＤを撮像光軸Ｘの回りに環状に配列されて成り、図３に示すように、中心角３０°間隔で配された高倍率撮像照明２０Ｈとなる１２個のＬＥＤと、その間に中心角６０°間隔で配された低倍率撮像照明２０Ｌとなる６個のＬＥＤがリング状の台座２２に取り付けられてなる。
【００２２】
低倍率撮像照明２０Ｌは、照射角度の広いＬＥＤが用いられ、その照射光軸が観察孔２の中心に向けて斜めに配され、観察孔２内を万遍なく照射できるようになっている。
また、高倍率撮像照明２０Ｈは、照射角度の狭いＬＥＤが用いられ、その照射光が撮像ヘッド２内に配されたミラー２３に反射されて高倍率観察孔３Ｈ内にスポット的に照明されるようになっている。
【００２３】
このように、高倍率撮像照明２０ＨのＬＥＤの数が低倍率撮像照明２０ＬのＬＥＤよりも多く配列され、且つ、高倍率撮像照明２０Ｈは集光されて照射面積が低倍率撮像照明２０Ｌの照射面積に比して狭くなっているので、高倍率撮像照明２０Ｈは高照度で照明でき、十分に明るい画像が得られる。
【００２４】
また、照明切換手段２１として、本例では、図２に示すように、円筒カム１４の外周面に形成されたスイッチ操作突起２４と、この操作突起２４により操作される低倍率及び高倍率撮像照明点灯用の二つのマイクロスイッチ２５Ｌ及び２５Ｈを備えている。
低倍率撮像照明点灯用のマイクロスイッチ２５Ｌは、低倍率観察孔３Ｌが撮像光軸Ｘ上に進出させたときの操作突起２４の位置に対応して配され、高倍率撮像照明点灯用のマイクロスイッチ２５Ｈは、高倍率観察孔３Ｈを撮像光軸Ｘ上に進出させたときの操作突起２４の位置に対応して配されている。
【００２５】
したがって、観察ヘッド２を回動させて低倍率観察孔３Ｌを撮像光軸Ｘ上に位置させたときは、円筒カム１４に形成された操作突起２４により低倍率撮像照明点灯用のマイクロスイッチ２５ＬがＯＮされ、低倍率撮像照明２０Ｌが点灯される。
また、観察ヘッド２を回動させて高倍率観察孔３Ｈを撮像光軸Ｘ上に位置させたときは、円筒カム１４に形成された操作突起２４により高倍率撮像照明点灯用のマイクロスイッチ２５ＨがＯＮされ、高倍率撮像照明２０Ｈが点灯される。
【００２６】
なお、照明系６には、低倍率撮像照明２０Ｌ…のＬＥＤから照射された照明光を直線偏光させる照明光偏光フィルタＰ１が配されている。
この偏光フィルタＰ１は、台座２２の正面を覆い、高倍率撮像照明２０Ｈ…のＬＥＤから照射された光を透過する部分に穴をあけた環状の偏光フィルムで形成されている。
【００２７】
また、結像光学系６を通り撮像素子５に至る撮像光軸Ｘ上には、被観察物で反射されて撮像素子５に入射される光を透過させる観察光偏光フィルタＰ２が進退可能に配され、観察ヘッド２を回動して、低倍率観察孔３Ｌを撮像光軸Ｘ上に位置させたときにこれに連動して観察光偏光フィルタＰ２を撮像光軸Ｘ上に進出させ、高倍率観察孔３Ｈを撮像光軸Ｘ上に位置させたときにこれに連動して観察光偏光フィルタＰ２を撮像光軸Ｘ上から退避させるフィルタ進退機構２６を備えている。
【００２８】
この観察光偏光フィルタＰ２は、低倍率撮像照明２０Ｌから照射された偏光が被観察物から反射してくるときに、皮膚表面で反射されて偏光方向が維持されている光成分をカットし、皮膚内部で反射されて偏光方向が変化した光成分のみを検出するためのもので、その偏光方向が照明光偏光フィルタＰ１に対して直交ニコルになるように配されている。
【００２９】
また、フィルタ進退機構２６は、偏光フィルタＰ２を取り付けたフレーム２７と、これを揺動自在に支持する回転軸２８と、前記フレーム２７に一体に形成された操作レバー２９を備え、回転軸２８には偏光フィルタＰ２が撮像光軸Ｘ上に位置するようにフレーム２７を付勢するスプリング３０が設けられている。
そして、観察ヘッド２に従動して、円筒カム１４に取り付けられた操作子３１が回動して、レンズ８が高倍率撮像位置ＱＨに位置決めされたときに、操作子３１が操作レバー２９を押圧してフレーム２７をスプリング３０の弾撥力に抗して跳ね上げて、偏光フィルタＰ２を撮像光軸Ｘ上から退避させるようになっている。
これにより、高倍率撮像時には、高倍率撮像照明２０Ｈから照射された光りが被観察物で反射されて撮像素子に達する光路中に光を減光化させる偏光フィルタが存在しないので、観察に大光量が必要な高倍率画像をよりはっきりと撮像することができる。
【００３０】
さらに、図示は省略するが、撮像装置１には撮像素子５のドライバが内蔵され、画像信号をコンピュータなどに有線又は無線で送信し、その画像をコンピュータのディスプレイに表示させるようになっている。
【００３１】
以上が本発明の一構成例であって、次にその作用を説明する。
まず、低倍率で撮像するときは、拡大撮像装置１をコンピュータ（図示せず）に接続し、撮像装置１のメインスイッチ（図示せず）をＯＮした後、観察ヘッド２を回動して低倍率観察孔３Ｌを撮像光軸Ｘ上に進出させると、これに連動して図２（ａ）に示すように、倍率切換手段１１により円筒カム１４が回動してレンズホルダ９が撮像光軸Ｘ後方に移動し、レンズ８が低倍率撮像位置ＱＬに位置決めされる。
【００３２】
これと同時に、円筒カム１４に形成されたスイッチ操作突起２４がマイクロスイッチ２５Ｌをオンして低倍率撮像照明２０Ｌが点灯されると共に、フィルタ進退機構２６の操作子３１が操作レバー２９から離れるので、スプリング３０の弾撥力によりフレーム２７が撮像光軸Ｘ側へ付勢され、偏光フィルタＰ２が撮像光軸Ｘ上に進出する。
この状態で、観察ヘッド２を被観察物となる肌に当てると、低倍率観察孔３Ｌで囲まれた部分が２０倍の拡大倍率で撮像される。
【００３３】
このとき、低倍率撮像照明２０Ｌから照射された光は照明光偏光フィルタＰ１により直線偏光化され、被観察物に照射された後、その反射光が観察孔偏光フィルタＰ２を透過して撮像素子５に入射される。
したがって、皮膚表面で直接反射されて偏光方向が維持されている光成分はカットされ、皮膚内部で間接反射されて偏光方向が変化した光成分が撮像されることとなり、皮下に存在するシミやクスミを観察するのに適している。
【００３４】
次いで、高倍率で撮像するときは、観察ヘッド２を回動して高倍率観察孔３Ｈを撮像光軸Ｘ上に進出させると、これに連動して図２（ｂ）に示すように、倍率切換手段１１により円筒カム１４が回動してレンズホルダ９が撮像光軸Ｘ前方に移動し、レンズ８が高倍率撮像位置ＱＨに位置決めされる。
【００３５】
これと同時に、円筒カム１４に形成されたスイッチ操作突起２４がマイクロスイッチ２５Ｈをオンして高倍率撮像照明２０Ｈが点灯されると共に、フィルタ進退機構２６の操作子３１が操作レバー２９を押圧するので、スプリング３０の弾撥力に抗してフレーム２７が揺動し、偏光フィルタＰ２が撮像光軸Ｘから退避する。
この状態で、観察ヘッド２を被観察物となる肌に当てると、高倍率観察孔３Ｈで囲まれた部分が２００倍の拡大倍率で撮像される。
【００３６】
このとき、高倍率撮像照明２０Ｈ…から照射された光は、照射角度が狭く、撮像光軸Ｘと略並行に出射された後、撮像ヘッド２内に配されたミラー２３に反射されて高倍率観察孔３Ｈ内に側面方向から中央に向ってスポット的に照射される。
したがって、高倍率観察孔３Ｈで囲まれた狭い撮像エリアに十分な光量の光を照射することができるだけでなく、その周囲の全方向から照射されるので陰ができ難く、さらに、被観察物の表面に対して入射角の大きい側射照明となっているので、拡大された皮膚表面の凹凸が際立ってよく見えるだけでなく、皮膚表面で鏡面反射された光は撮像光軸Ｘは向かわないのでハレーションなどの撮像障害を起こすこともない。
【００３７】
以上述べたように、本例の拡大撮像装置１によれば、観察ヘッド２を回動させて、低倍率観察孔３Ｌと高倍率観察孔３Ｈを光軸上に位置させる１回の操作で、２焦点レンズ８を所定の位置に位置決めして倍率変換を行うことができるだけでなく、同時に、照明２０Ｌ及び２０Ｈの切換え、偏光フィルタＰ２の進退を行わせることができるという大変優れた効果を奏する。
【産業上の利用可能性】
【００３８】
本発明は、化粧品を販売する美容部員が、顧客の肌や頭皮の状態に応じて最適の化粧品やシャンプーリンスなどを決定する場合などに、顧客の皮膚や頭皮等の被観察物の表面を例えば２０倍と２００倍というように倍率を変化させて撮像する用途に適している。
【図面の簡単な説明】
【００３９】
【図１】本発明に係る拡大撮像装置を示す概略構成図。
【図２】拡大倍率に応じた結像光学系の位置関係を示す説明図。
【図３】照明系を示す説明図。
【符号の説明】
【００４０】
１    拡大撮像装置
２    観察ヘッド
３    観察孔
３Ｌ  低倍率観察孔
３Ｈ  高倍率観察孔
４    結像光学系
５    撮像素子
６    照明系
Ｘ    撮像光軸
１１  倍率切換手段  
ＱＬ  低倍率撮像位置
ＱＨ  高倍率撮像位置
ＦＬ、ＦＨ  合焦位置
２０Ｌ  低倍率撮像照明
２０Ｈ  高倍率撮像照明
２１  照明切換手段
Ｐ１  照明光偏光フィルタ
Ｐ２  観察光偏光フィルタ
２６  フィルタ進退機構
【図１】
2006235423.tif 000003
【図２】
2006235423.tif 000004
【図３】
2006235423.tif 000005